(57)【特許請求の範囲】
【請求項１】
無線周波数信号とベースバンド信号に従って、それぞれ第一下流シグナルと第二下流シグナルを生成する中央局と、
前記中央局に結合されて、第一ファイバーと、当該第一ファイバーと異なる第二ファイバーにより、それぞれ前記第一下流シグナルと前記第二下流シグナルを受信する光学ネットワークユニットとを含み、
当該光学ネットワークユニットは、前記第二下流シグナルだけを変調して、上流シグナルを生成し、その後、前記第一ファイバーにより、前記上流シグナルを前記中央局に伝送し、これにより、信号レイリー後方散乱ノイズを減少させ、
前記光学ネットワークユニットは、前記第二下流シグナルを変調して、前記上流シグナルを生成する反射式変調器と、
前記第二ファイバーに結合され、前記第二下流シグナルを受信する第一端子と、前記反射式変調器に結合され、前記第二下流シグナルを当該反射式変調器に出力して、前記上流シグナルを受信する第二端子と、前記第一ファイバーに結合され、前記第一下流シグナルを受信して、前記上流シグナルを前記中央局に出力する第三端子と、当該第一下流シグナルを出力する第四端子とを含む第一光サーキュレータとを有し、
前記上流シグナルにより生成されるレイリー後方散乱ノイズは、第二端子により、当該反射式変調器に出力されないことを特徴とする光ファイバー通信システム。
【請求項２】
ベースバンド受信ユニットと、
前記第一光サーキュレータの前記第二端子に結合され、前記第二下流シグナルを受信する第一端子と、前記第二下流シグナルを、前記ベースバンド受信ユニットと前記反射式変調器にそれぞれ出力する第二端子と第三端子を有する光結合器と、
前記第一光サーキュレータの前記第四端子に結合され、前記第一下流シグナルを受信する無線周波数受信ユニットとを有することを特徴とする請求項１に記載の光ファイバー通信システム。
【請求項３】
前記ベースバンド受信ユニットは、前記第二下流シグナルを復調する遅延干渉計を含むことを特徴とする請求項２に記載の光ファイバー通信システム。
【請求項４】
前記反射式変調器は、反射半導体光増幅器であることを特徴とする請求項１に記載の光ファイバー通信システム。
【請求項５】
前記中央局は、
光源信号を出力する光生成ユニットと、
前記無線周波数信号と、正弦波信号、及び、前記光源信号に従って、前記第一下流シグナルを生成する電気光学変調器と、
前記光源信号とベースバンド信号に従って、前記第二下流シグナルを生成する位相変調器とを有することを特徴とする請求項１に記載の光ファイバー通信システム。
【請求項６】
前記中央局は、更に、
前記電気光学変調器に結合され、前記第一下流シグナルを受信する第一端子と、前記第一光サーキュレータの前記第三端子に結合され、前記第一下流シグナルを当該第一光サーキュレータに出力する第二端子と、アップリンク受信ユニットに結合される第三端子とを備えた第二光サーキュレータを有することを特徴とする請求項５に記載の光ファイバー通信システム。
【請求項７】
前記電気光学変調器は、マッハツェンダー変調器であることを特徴とする請求項５に記載の光ファイバー通信システム。
【請求項８】
前記第一下流シグナルと前記上流シグナルは、オンオフ変調信号であり、前記第二下流シグナルは、差動位相偏移変調信号であることを特徴とする請求項１に記載の光ファイバー通信システム。 
【請求項９】
前記第一下流シグナルは、光学キャリア抑圧を有する両側波帯信号であることを特徴とする請求項１に記載の光ファイバー通信システム。
【請求項１０】
無線周波数信号とベースバンド信号に従って、それぞれ第一下流シグナルと第二下流シグナルを生成するステップと、
第一ファイバーと、当該第一ファイバーと異なる第二ファイバーにより、それぞれ前記第一下流シグナルと前記第二下流シグナルを、光学ネットワークユニットに出力するステップと、
前記第二下流シグナルだけを変調して、上流シグナルを生成し、前記第一ファイバーにより、中央局に伝送し、これにより、信号レイリー後方散乱ノイズを減少させるステップとを含み、前記第二下流シグナルは、第一光サーキュレータにより反射式変調器に伝送され、その後、変調されて、前記上流シグナルを生成し、当該上流シグナルは、前記第一光サーキュレータにより前記中央局に伝送され、前記上流シグナルにより生成されるレイリー後方散乱ノイズは、第二端子により、当該反射式変調器に出力されず、前記第一下流シグナルは、前記第一光サーキュレータにより無線周波数受信ユニットに伝送されることを特徴とする光ファイバー通信方法。
【請求項１１】
前記第二下流シグナルは、ベースバンド受信ユニットにより受信され、復調されることを特徴とする請求項１０に記載の光ファイバー通信方法。 
【請求項１２】
前記反射式変調器は、反射半導体光増幅器であることを特徴とする請求項１０に記載の光ファイバー通信方法。 
【請求項１３】
前記第一下流シグナルは、前記無線周波数信号と、正弦波信号、及び、光源信号に従って、電気光学変調器により生成され、前記第二下流信号は、前記光源信号と前記ベースバンド信号に従って、位相変調器により生成されることを特徴とする請求項１０に記載の光ファイバー通信方法。
【請求項１４】
前記電気光学変調器はマッハツェンダー変調器であることを特徴とする請求項１３に記載の光ファイバー通信方法。 
【請求項１５】
前記第一下流シグナルと前記上流シグナルは、オンオフ変調信号であり、前記第二下流シグナルは、差動位相偏移変調信号であることを特徴とする請求項１０に記載の光ファイバー通信方法。
【請求項１６】
前記第一下流シグナルは、光学キャリア抑圧を有する両側波帯信号であることを特徴とする請求項１０に記載の光ファイバー通信方法。
【発明の詳細な説明】
【技術分野】
【０００１】
本発明は、光ファイバー通信システムに関するものであって、特に、反射式光学ネットワークユニットを有する光ファイバー通信システムに関するものである。
【背景技術】
【０００２】
図５は、光ファイバー通信システムを示す図である。図５で示されるように、光ファイバー通信システム１００は、波長分割多重方式-パッシブ光ネットワーク（ｗａｖｅｌｅｎｇｔｈ−ｄｉｖｉｓｉｏｎ  ｍｕｌｔｉｐｌｅｘｉｎｇ−ｐａｓｓｉｖｅ  ｏｐｔｉｃａｌ  ｎｅｔｗｏｒｋ、ＷＤＭ−ＰＯＮ）システムである。中央局 （ＣＯ）１１０ （又は、ｈｅａｄ−ｅｎｄと称される）中の複数のレーザー光線 Ｌ１、Ｌ２、・・・、Ｌｎは、それぞれ、異なる波長λ１、λ２ 、・・・、λｎを有する光源を生成する。光源は、アレイ導波管（ａｒｒａｙ  ｗａｖｅ  ｇｕｉｄｅ、ＡＷＧ）の光学マルチプレクサー１１１により、光学キャリア ＤＳに整合される。マルチプレクサー１１１は、光サーキュレータ１１２に結合される。光サーキュレータ１１２の第一端子は、光学キャリアＤＳを受信し、光学キャリアＤＳを、光サーキュレータ１１２の第二端子に結合されたファイバー１１３に伝送する。光サーキュレータ１１２の第三端子は、中央局１１０の光学デマルチプレクサー１１４に結合される。光学デマルチプレクサー１１４は、ファイバー１１３と光サーキュレータ１１２により、上流シグナルＵＳを対応するレシーバー１１５に伝送する。
【０００３】
この他、光学デマルチプレクサー１２１は、光学キャリアＤＳをユーザー装置 (例えば、ユーザー装置１２２)に分配する。少なくとも一つの反射式変調器１２３を有する反射式光学ネットワークユニット（ＲＯＮＵ）１２０が構築され、反射式変調器１２３は光学キャリアＤＳを再利用し、クライアントの上流シグナルＵＳを中央局１１０のレシーバー１１５に伝送する。
【先行技術文献】
【特許文献】
【０００４】
【特許文献１】特開２００４−１１２７６３号公報
【発明の概要】
【発明が解決しようとする課題】
【０００５】
しかし、製造プロセス、又は、光ファイバー通信システムを構築する過程において、ファイバーの断面積が、楕円形になる。これにより、ループバックネットワークを有する光ファイバー通信システムは、レイリー後方散乱（Ｒａｙｌｅｉｇｈ  ｂａｃｋｓｃａｔｔｅｒ、ＲＢ）効果による干渉雑音を、更に容易に生成し、特に、上流データの伝送に影響を及ぼす。つまり、ファイバー中で伝送される光信号、又は、無線周波数信号の一部は、ファイバーにより絶え間なく反射する。最終的に、中央局１１０のレシーバー１１５に伝送される反射信号が、レイリー後方散乱ノイズになる。
【０００６】
図６は、図５の光ファイバー通信システムのもう一つの図である。図６で示されるように、レイリー後方散乱ノイズは、キャリアレイリー後方散乱ＣＲＢと信号レイリー後方散乱ＳＲＢの二種である。キャリアレイリー後方散乱ＣＲＢは光学キャリアＤＳにより生成され、信号レイリー後方散乱ＳＲＢは上流シグナルＵＳにより生成される。キャリアレイリー後方散乱ＣＲＢは、光学キャリアＤＳが、中央局１１０から光学デマルチプレクサー１２１に伝送されるプロセスにより生成される。信号レイリー後方散乱ＳＲＢは、光学キャリアＤＳが、中央局１１０から光学デマルチプレクサー１２１に伝送される時に生成されるレイリー後方散乱ＲＢが、反射式光学ネットワークユニット１２０の反射式変調器１２３により再度変調され、その後、中央局１１０のレシーバー１１５に伝送されるプロセスにより生成される。
【０００７】
これにより、信号伝送を改善するために、光ファイバー通信システムは、キャリアレイリー後方散乱ＣＲＢと信号レイリー後方散乱ＳＲＢを減少させることが必要となる。
【０００８】
上述の問題を解決するため、本発明は、中央局と光学ネットワークユニットを含む光ファイバー通信システムにおいて、レイリー後方散乱ノイズを減少させることができる光ファイバー通信システムを提供することを目的とする。
【課題を解決するための手段】
【０００９】
本件発明の光ファイバー通信システムは、無線周波数信号とベースバンド信号に従って、それぞれ第一下流シグナルと第二下流シグナルを生成する中央局と、中央局に結合されて、第一ファイバーと、第一ファイバーと異なる第二ファイバーにより、それぞれ第一下流シグナルと第二下流シグナルを受信する光学ネットワークユニットとを含み、光学ネットワークユニットは、第二下流シグナルだけを変調して、上流シグナルを生成し、その後、第一ファイバーにより、上流シグナルを中央局に伝送し、これにより、信号レイリー後方散乱ノイズを減少させ、光学ネットワークユニットは、第二下流シグナルを変調して、上流シグナルを生成する反射式変調器と、第二ファイバーに結合され、第二下流シグナルを受信する第一端子と、反射式変調器に結合され、第二下流シグナルを反射式変調器に出力して、上流シグナルを受信する第二端子と、第一ファイバーに結合され、第一下流シグナルを受信して、上流シグナルを中央局に出力する第三端子と、第一下流シグナルを出力する第四端子とを含む第一光サーキュレータとを有し、上流シグナルにより生成されるレイリー後方散乱ノイズは、第二端子により、当該反射式変調器に出力されないことを特徴とする。
【００１０】
本件発明の光ファイバー通信システムは、ベースバンド受信ユニットと、第一光サーキュレータの第二端子に結合され、第二下流シグナルを受信する第一端子と、第二下流シグナルを、ベースバンド受信ユニットと反射式変調器にそれぞれ出力する第二端子と第三端子を有する光結合器と、第一光サーキュレータの第四端子に結合され、第一下流シグナルを受信する無線周波数受信ユニットとを有することが好ましい。
【００１１】
本件発明の光ファイバー通信システムは、ベースバンド受信ユニットは、第二下流シグナルを復調する遅延干渉計を含むことが好ましい。
【００１２】
本件発明の光ファイバー通信システムは、反射式変調器は、反射半導体光増幅器であることが好ましい。
【００１３】
本件発明の光ファイバー通信システムは、中央局は、光源信号を出力する光生成ユニットと、無線周波数信号と、正弦波信号、及び、光源信号に従って、第一下流シグナルを生成する電気光学変調器と、光源信号とベースバンド信号に従って、第二下流シグナルを生成する位相変調器とを有することが好ましい。
【００１４】
本件発明の光ファイバー通信システムは、中央局は、更に、電気光学変調器に結合され、第一下流シグナルを受信する第一端子と、第一光サーキュレータの第三端子に結合され、第一下流シグナルを第一光サーキュレータに出力する第二端子と、アップリンク受信ユニットに結合される第三端子とを備えた第二光サーキュレータを有することが好ましい。
【００１５】
本件発明の光ファイバー通信システムは、電気光学変調器は、マッハツェンダー変調器であることが好ましい。
【００１６】
本件発明の光ファイバー通信システムは、第一下流シグナルと上流シグナルは、オンオフ変調信号であり、第二下流シグナルは、差動位相偏移変調信号であることが好ましい。
【００１７】
本件発明の光ファイバー通信システムは、第一下流シグナルは、光学キャリア抑圧を有する両側波帯信号であることが好ましい。
【００１８】
本件発明の光ファイバー通信方法は、無線周波数信号とベースバンド信号に従って、それぞれ第一下流シグナルと第二下流シグナルを生成するステップと、第一ファイバーと、第一ファイバーと異なる第二ファイバーにより、それぞれ第一下流シグナルと第二下流シグナルを、光学ネットワークユニットに出力するステップと、第二下流シグナルだけを変調して、上流シグナルを生成し、第一ファイバーにより、中央局に伝送し、これにより、信号レイリー後方散乱ノイズを減少させるステップとを含み、第二下流シグナルは、第一光サーキュレータにより反射式変調器に伝送され、その後、変調されて、上流シグナルを生成し、上流シグナルは、第一光サーキュレータにより中央局に伝送され、上流シグナルにより生成されるレイリー後方散乱ノイズは、第二端子により、当該反射式変調器に出力されず、第一下流シグナルは、第一光サーキュレータにより無線周波数受信ユニットに伝送されることを特徴とする。
【００１９】
本件発明の光ファイバー通信方法は、第二下流シグナルは、ベースバンド受信ユニットにより受信され、復調されることが好ましい。
【００２０】
本件発明の光ファイバー通信方法は、反射式変調器は、反射半導体光増幅器であることが好ましい。
【００２１】
本件発明の光ファイバー通信方法は、第一下流シグナルは、無線周波数信号と、正弦波信号、及び、光源信号に従って、電気光学変調器により生成され、第二下流信号は、光源信号とベースバンド信号に従って、位相変調器により生成されることが好ましい。
【００２２】
本件発明の光ファイバー通信方法は、電気光学変調器はマッハツェンダー変調器であることが好ましい。
【００２３】
本件発明の光ファイバー通信方法は、第一下流シグナルと上流シグナルは、オンオフ変調信号であり、第二下流シグナルは、差動位相偏移変調信号であることが好ましい。
【００２４】
本件発明の光ファイバー通信方法は、第一下流シグナルは、光学キャリア抑圧を有する両側波帯信号であることが好ましい。
【発明の効果】
【００２５】
本発明により、信号レイリー後方散乱ノイズが減少することができる。
【図面の簡単な説明】
【００２６】
【図１】実施例の光ファイバー通信システムを示す図である。
【図２】本発明による光源信号と下流シグナルＤＳ１の波長を示す図である。
【図３】実施例の上流シグナルＵＳの電力とビット誤り（ＢＥＲ）間の関係を示す図である。
【図４】光ファイバー通信方法のシーケンス線図である。
【図５】光ファイバー通信システムを示す図である。
【図６】図５の光ファイバー通信システムの別の図である。
【発明を実施するための形態】
【００２７】
図１は、本実施例の光ファイバー通信システムを示す図である。図１で示されるように、光ファイバー通信システム２００は、中央局（ＣＯ）２１０と光学ネットワークユニット（ＯＮＵ）２２０を有している。例えば、中央局２１０は、それぞれ、無線周波数信号（ＲＦ信号）とベースバンド信号により、第一下流シグナルＤＳ１と第二下流シグナルＤＳ２を生成する。光学ネットワークユニット２２０は中央局に結合されて、ファイバーＦ１と、ファイバーＦ１と異なるファイバーＦ２により、それぞれ下流シグナルＤＳ１と下流シグナルＤＳ２を受信する。そして、光学ネットワークユニット２２０は、下流シグナルＤＳ２だけを変調して、上流シグナルＵＳを生成し、その後、ファイバーＦ１により、上流シグナルＵＳを中央局２１０に伝送して、信号レイリー後方散乱ノイズを減少させる。
【００２８】
具体的には、中央局２１０は、光生成ユニット２３０、電気光学変調器Ｍ１、位相変調器Ｍ２、光サーキュレータＯＣ１、及び、アップリンク受信ユニットＲ１を有する。 例えば、光生成ユニット２３０は、光源ＣＷ、光結合器ＣＰ１、及び、偏光制御器ＰＣ１とＰＣ２を含み、光源信号を出力する。光結合器ＣＰ１は、光源信号をそれぞれ電気光学変調器Ｍ１と位相変調器Ｍ２に出力する。
【００２９】
電気光学変調器Ｍ１は、無線周波数信号、正弦波信号、及び、光源信号に従って、下流シグナルＤＳ１を生成する。具体的には、本実施例において、電気光学変調器Ｍ１はマッハツェンダー変調器（Ｍａｃｈ−Ｚｅｈｎｄｅｒ  ｍｏｄｕｌａｔｏｒ)であり、無線周波数信号 （例えば、２．５Ｇｂ／ｓ）と正弦波信号 （例えば、１０ＧＨｚ）に従って、光源信号を、光学キャリア抑圧（ｏｐｔｉｃａｌ  ｃａｒｒｉｅｒ  ｓｕｐｐｒｅｓｓｉｏｎ、ＯＣＳ）を有する両側波帯（ｄｏｕｂｌｅ−ｓｉｄｅｂａｎｄ、ＤＳＢ） 信号に変調し、両側波帯信号（即ち、下流シグナルＤＳ１）の周波数は２０ＧＨｚである。下流シグナルＤＳ１と上流シグナルＵＳは、オンオフ変調（ＯＯＫ）信号である。位相変調器Ｍ２は、ベースバンド信号 (例えば、１０Ｇｂ／ｓ）に従って、光源信号を変調して、差動位相偏移変調（ＤＰＳＫ）信号である下流シグナルＤＳ２を生成する。
【００３０】
光サーキュレータＯＣ１は下流シグナルＤＳ１を出力し、上流シグナルＵＳを受信する。具体的には、光サーキュレータＯＣ１の第一端子が、電気光学変調器 Ｍ１に結合されて、下流シグナルＤＳ１を受信する。光サーキュレータＯＣ１の第二端子が、光学ネットワークユニット２２０の光サーキュレータＯＣ２の第三端子に結合されて、下流シグナルＤＳ１を光サーキュレータＯＣ２に出力し、光学ネットワークユニット２２０から、上流シグナルＵＳを受信する。光サーキュレータＯＣ１の第三端子が、アップリンク受信ユニットＲ１に結合されて、上流シグナルＵＳをアップリンク受信ユニットＲ１に出力する。この他、エルビウムドープトファイバー増幅器（Ｅｒｂｉｕｍ  ｄｏｐｅｄ  ｆｉｂｅｒ  ａｍｐｌｉｆｉｅｒｓ、ＥＤＦＡ）Ｅ１とＥ２は、それぞれ下流シグナルＤＳ１とＤＳ２を増幅する。
【００３１】
本実施例において、光学ネットワークユニット２２０は、反射式光学ネットワークユニットである。光学ネットワークユニット２２０は、反射式変調器Ｍ３、光サーキュレータＯＣ２、ベースバンド受信ユニットＲ２、光結合器ＣＰ２、及び、無線周波数受信ユニットＲ３を含む。具体的には、反射式変調器Ｍ３は、下流シグナルＤＳ２を変調して、上流シグナルＵＳを生成する。本実施例において、反射式変調器Ｍ３は、反射半導体光増幅器（ｒｅｆｌｅｃｔｉｖｅ  ｓｅｍｉｃｏｎｄｕｃｔｏｒ  ｏｐｔｉｃａｌ  ａｍｐｌｉｆｉｅｒ、ＲＳＯＡ）である。
【００３２】
光サーキュレータＯＣ２は、それぞれ下流シグナルＤＳ１とＤＳ２を受信し、上流シグナルＵＳを中央局２１０に出力する。具体的には、光サーキュレータＯＣ２の第一端子が、ファイバーＦ２に結合されて、下流シグナルＤＳ２を受信する。光サーキュレータＯＣ２の第二端子は、反射式変調器Ｍ３に結合されて、下流シグナルＤＳ２を反射式変調器Ｍ３に出力し、上流シグナルＵＳを受信する。光サーキュレータＯＣ２の第三端子は、ファイバーＦ１に結合されて、下流シグナルＤＳ１を受信し、上流シグナルＵＳを中央局２１０に出力する。光サーキュレータＯＣ２の第四端子は、下流シグナルＤＳ１を無線周波数受信ユニットＲ３に出力する。
【００３３】
光結合器ＣＰ２の第一端子は、光サーキュレータＯＣ２の第二端子に結合されて、下流シグナルＤＳ２を受信する。光結合器ＣＰ２の第二端子と第三端子は、それぞれ下流シグナルＤＳ２をベースバンド受信ユニットＲ２と反射式変調器Ｍ３に出力する。下流シグナルＤＳ２を復調する遅延干渉計（ｄｅｌａｙ  ｉｎｔｅｒｆｅｒｏｍｅｔｅｒ ＤＩ)を含むベースバンド受信ユニットＲ２は、下流シグナルＤＳ２を受信する。無線受信ユニットＲ３は、光サーキュレータＯＣ２の第四端子に結合されて、下流シグナルＤＳ１を受信する。
【００３４】
注意すべきことは、光サーキュレータＯＣ２の第一端子に入力される信号は、光サーキュレータＯＣ２の第二端子だけから出力されることである。同様に、光サーキュレータＯＣ２の第二端子に入力される信号は、光サーキュレータＯＣ２の第三端子だけから出力され、光サーキュレータＯＣ２の第三端子に入力される信号は、光サーキュレータＯＣ２の第四端子だけから出力される。言い換えると、光サーキュレータＯＣ２の第三端子に入力される信号は、光サーキュレータＯＣ２の第一端子、第二端子、又は、第三端子から出力されない。光サーキュレータＯＣ１は光サーキュレータＯＣ２と同じ特徴を有するので、詳述しない。これにより、上流シグナルにより生成されるレイリー後方散乱ノイズは、光サーキュレータＯＣ２の第二端子により、反射式変調器Ｍ３に出力されないので、信号レイリー後方散乱ノイズを生じない。
【００３５】
一般に、本実施例において、二個の異なるファイバーＦ１とＦ２を使用することにより、それぞれ下流シグナルＤＳ１とＤＳ２を伝送し、上流シグナルＵＳにより生成されるレイリー後方散乱ノイズは、光サーキュレータＯＣ２の第二端子により、反射式変調器Ｍ３に出力されない。これにより、反射式変調器Ｍ３は、上流シグナルＵＳにより生成されるレイリー後方散乱ノイズを反射しないので、信号レイリー後方散乱ノイズの生成を防止する。
【００３６】
図２は、本発明による光源信号と下流シグナルＤＳ１の波長を示す図である。図２で示されるように、光源信号は連続波で、光源信号の中心波長は１５５０ｎｍである。下流シグナルＤＳ１は、光学キャリア抑圧(ＯＣＳ)を有する両側波帯（ＤＳＢ）信号で、下流シグナルＤＳ１の周波数は２０ＧＨｚである。
【００３７】
図３は、上流シグナルＵＳの電力とビット誤り率（ＢＥＲ）間の関係を示す図である。図３で示されるように、横軸は受電効率である (受電量はｄＢｍの単位で示される)。縦軸は、対数で示されるビット誤り率である。丸を付した点線は、光学ネットワークユニット２２０における上流シグナルＵＳのビット誤り率である。三角を付した点線は、２０ｋｍ伝送された上流シグナルＵＳのビット誤り率である。これにより、レシーバーにより測定される受信電力の増加に伴い、ビット誤り率が減少する。また、部分グラフ４１０は、後方対後方伝送 (即ち、光学ネットワークユニット２２０における)の上流シグナルＵＳのアイダイアグラムである。部分グラフ４２０は、２０ｋｍ伝送された上流シグナルＵＳのアイダイアグラムである。部分グラフ４２０は、アイダイアグラムの中央が非常にきれいであることを示す。本実施例から分かるように、レイリー後方散乱ノイズの生成を減少させることができる。
【００３８】
図４は、光ファイバー通信方法のシーケンス線図である。図４で示されるように、光ファイバー通信方法は以下のステップを含む。
【００３９】
ステップＳ５１において、下流シグナルＤＳ１と下流シグナルＤＳ２は、無線周波数信号とベースバンド信号に従ってそれぞれ生成される。ステップＳ５２において、下流シグナルＤＳ１とＤＳ２は、それぞれファイバーＦ１と、ファイバーＦ１とは異なるファイバーＦ２により、光学ネットワークユニット２２０に出力される。ステップＳ５３において、下流シグナルＤＳ２だけが変調され、上流シグナルＵＳを生成し、ファイバーＦ１により中央局２１０に伝送し、これにより、信号レイリー後方散乱ノイズを減少させる。
【００４０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４１】
１００  光ファイバー通信システム
１１０、２１０  中央局
１１１  光学マルチプレクサー
Ｌ１、Ｌ２、Ｌｎ  レーザー光線
１１２  光サーキュレータ
１１３  ファイバー
１１４  光学デマルチプレクサー
１１５  レシーバー
１２０  反射式光学ネットワークユニット（ＲＯＮＵ）
１２１  光学デマルチプレクサー
１２２  ユーザー装置
１２３  反射式変調器
ＲＢ    レイリー後方散乱
ＣＲＢ  キャリアレイリー後方散乱
ＳＲＢ  信号レイリー後方散乱
ＤＳ    光学キャリア
ＵＳ    上流シグナル
２００  光ファイバー通信システム
２２０  光学ネットワークユニット
Ｆ１、Ｆ２  ファイバー
ＯＣ１、ＯＣ２  光サーキュレータ
ＤＳ１、ＤＳ２  下流シグナル
Ｍ１    電気光学変調器
Ｍ２    位相変調器
Ｍ３    反射式変調器
Ｅ１、Ｅ２  エルビウムドープトファイバー増幅器
ＣＰ１、ＣＰ２  光結合器
２３０  光生成ユニット
ＣＷ    光源
ＰＣ１、ＰＣ２  偏光制御器
ＤＩ    遅延干渉計
Ｒ１    アップリンク受信ユニット
Ｒ２    ベースバンド受信ユニット
Ｒ３    無線周波数受信ユニット
４１０、４２０  部分グラフ
【図１】
0005416195.tif 000002
【図２】
0005416195.tif 000003
【図４】
0005416195.tif 000004
【図５】
0005416195.tif 000005
【図６】
0005416195.tif 000006
【図３】
0005416195.tif 000007